(57)【要約】      （修正有）【課題】  ドキュメントの送信に関し、より詳細には受信側が指定したフォントデータを添付してドキュメントデータの送信を行うドキュメント送信プログラムおよびドキュメント送信システムを提供する。【解決手順】  ドキュメントの送信を行うサーバは、携帯情報端末からの要求に基づいてフォントリストを送信し、携帯情報端末からフォントの指定を受けると指定されたフォントデータから送信するドキュメントで使用するフォントデータを取り出し、ドキュメントデータに添付して送信するよう構成する。【選択図】  図１
2006235947.tif 000002
【特許請求の範囲】
【請求項１】
サーバが保有するドキュメントを携帯情報端末の要求に基づいて送信するドキュメント送信システムのドキュメント送信プログラムであって、
前記サーバのコンピュータに、
前記携帯情報端末から前記ドキュメントと前記サーバが保有しているフォントのフォントリストとの送信要求を受け付けるドキュメント要求受付手段と、
前記フォントリストの送信要求に応じて、該フォントリストを前記携帯情報端末に送信するフォントリスト送信手段と、
前記携帯情報端末から、前記フォントリストの送信に応じて該フォントリストの中から指定されたフォントの通知を受け付ける指定フォント受付手段と、
前記送信要求されたドキュメントで使用される文字に対応する前記指定されたフォントのフォントデータを取り出し、該ドキュメントのデータに添付して前記携帯情報端末に送信するドキュメント送信手段
として機能させるためのドキュメント送信プログラム。
【請求項２】
サーバが保有するドキュメントを携帯情報端末の要求に基づいて送信するドキュメント送信システムのドキュメント送信プログラムであって、
前記携帯情報端末のコンピュータに、
前記ドキュメントと前記サーバが保有するフォントのフォントリストとを該サーバに送信要求するドキュメント送信要求手段と、
前記フォントリストの送信要求に応じて前記サーバから送信されたフォントリストを受信し、該フォントリストの中から指定されたフォントを該サーバに通知するフォント指定手段と、
前記サーバから送信された前記要求したドキュメントのデータと、該ドキュメントが使用している文字に対応するフォントデータとを受信するドキュメント受信手段と、
前記受信したドキュメントのデータに前記受信したフォントデータを使用して表示するドキュメント表示手段
として機能させるためのドキュメント送信プログラム。
【請求項３】
前記ドキュメント送信手段は、前記ドキュメントで使用される文字の中の所定の文字に対するフォントデータを前記ドキュメントデータに添付して送信する
ことを特徴とする請求項１記載のドキュメント送信プログラム。
【請求項４】
前記ドキュメント表示手段は、前記受信したドキュメントで使用している個々の文字に対応するフォントデータが前記受信したフォントデータにあるかどうかを判別し、判別結果に応じて該受信したフォントデータと内蔵のフォントデータとを使用して表示する
ことを特徴とする請求項２記載のドキュメント送信プログラム。
【請求項５】
サーバが保有するドキュメントを携帯情報端末の要求に基づいて送信するドキュメント送信システムであって、
前記サーバは、
前記携帯情報端末から前記ドキュメントと前記サーバが保有しているフォントのフォントリストとの送信要求を受け付けるドキュメント要求受付手段と、
前記フォントリストの送信要求に応じて、該フォントリストを前記携帯情報端末に送信するフォントリスト送信手段と、
前記携帯情報端末から、前記フォントリストの送信に応じて該フォントリストの中から指定されたフォントの通知を受け付ける指定フォント受付手段と、
前記送信要求されたドキュメントで使用される文字に対応する前記指定されたフォントのフォントデータを取り出し、該ドキュメントのデータに添付して前記携帯情報端末に送信するドキュメント送信手段
を有することを特徴としたドキュメント送信システム。
【発明の詳細な説明】
【技術分野】
【０００１】
本発明はドキュメントの送信に関し、より詳細には受信者から指定されたフォントデータを添付してドキュメントデータの送信を行うドキュメント送信プログラムおよびドキュメント送信システムに関する。
【背景技術】
【０００２】
携帯電話やＰＤＡ（Personal Digital Assistance）などのモバイル機器で使用されているディスプレイの解像度が上がり、高精細な文字の表示が可能になってきている。一方で、電子書籍やＰＤＦ（登録商標、Portable Document Format）などのドキュメントコンテンツの配信が増える傾向にあり、これらを利用するユーザはユーザ自身の好みの文字書体（フォント）で表示して閲覧したい、という要求がある。しかし、一般にモバイル機器の搭載メモリはコストと小型化のために制限されて、１種類のフォントの常駐に留まっている。このため、ユーザはモバイル機器を購入するとそのモバイル機器の内蔵フォントで見ることに制限されることになる。また、上記のような理由から、ユーザ側からフォントを指定する仕組みもなかった。
【０００３】
この問題に関連する技術として、以下に示す技術が開示されている。
【０００４】
ワープロなどの文書作成機において、標準の文字フォントと圧縮対象の文字フォント（例えば、標準の太さの明朝体フォントに対して、標準より太めの明朝体フォントを圧縮対象のフォントとする）のアウトラインフォントの座標差分を求め、差分値の出現頻度から冗長部分を抑制した圧縮符号表を生成し、この圧縮符号表を用いて圧縮対象の文字フォントを圧縮する提案がなされている。この方法により冗長部分がカットされ高い圧縮率を得ることができ、複数のフォントを内蔵できる効果を有している（特許文献１）。
【０００５】
また、出力先での拡大縮小の出力条件に適合するよう、送信元が予め保有するフォント形式の中から選択して最適なフォントデータを原稿データと共に出力先にダウンロードすることが提案されている（特許文献２）。
【０００６】
また、受信側から要求のあった文書の送信において、送信側が受信側で保有しているフォントリストを取り込み、そのフォントリストにない箇所を送信側がイメージに変換して文書に埋め込んで送信することが提案されている（特許文献３）。
【特許文献１】特開平７−１９９８９４号公報
【特許文献２】特開２０００−２２５７５６号公報
【特許文献３】特開２００１−９２８１４号公報
【発明の開示】
【発明が解決しようとする課題】
【０００７】
上記に述べたように、モバイル機器で電子書籍などのドキュメントコンテンツの閲覧を行うとき、表示するフォントはメモリ等の制限から１種類の内蔵フォントに限定される、という問題があった。また、同じ理由でユーザである受信側から送信側に対して指定したフォントでドキュメントデータを送信してもらう仕組みもなかった。
【０００８】
特許文献１の提案は、フォントを圧縮することで複数のフォントを内蔵できるものであり、同じ書体で太さが変わるような場合にはその効果は有効であると考えられる。しかし、全く異なる書体（例えば、ゴシックと明朝）では圧縮の効果はなく、却ってデータ量が増えることが懸念される。この技術は、ストロークフォントなどに限られ、汎用性に問題がある。
【０００９】
特許文献２の提案は、インターフェースあるいはネットワークを介して他のシステムから内蔵以外のフォントデータをダウンロードするものであるが、当該フォントデータを一時格納するメモリ容量を必要とするとともに、データ量が多くなるためダウンロードに時間が掛かり、効率的とはいえない。
【００１０】
特許文献３の提案は、送信する文書に受信側が保有しないフォントが使われている場合に、送信側でその部分のフォントをイメージに展開して文書に埋め込んで送信するものであるが、文書全体が受信側でフォントを保有していない場合は全ての文字がイメージに展開されるのでデータ量は極めて大きくなることが考えらる。このような場合は、メモリ容量の点からモバイル機器への適用は難しい、と言う問題がある。
【００１１】
また、特許文献１〜３の提案はいずれも受信側の要求でフォントを指定できるものではない。
【００１２】
本発明は、メモリ容量の制限があるモバイル機器に適用でき、受信側でフォントの指定ができるドキュメントの送信プログラムおよび送信方法を提案する。
【課題を解決するための手段】
【００１３】
本発明のドキュメント送信プログラムおよび送信システムは以下のように構成される。
（１）第１の発明
第１の発明は、ドキュメントを送信するサーバ側のプログラムの発明であって、送信するドキュメントで使用される文字のフォントデータをドキュメントデータとともに送信するものである。この時のフォントデータは、受信側から指定されたフォントである。
【００１４】
図１は第１の発明の原理を示すものでドキュメント要求受付手段１０、フォントリスト送信手段２０、指定フォント受付手段３０およびドキュメント送信手段４０で構成する。
【００１５】
ドキュメント要求受付手段１０は、携帯情報端末からサーバが保有するドキュメントとフォントリストの送信要求を受け付ける。
【００１６】
フォントリスト送信手段２０は、ドキュメント要求受付手段１０のフォントリストの送信要求に応じてサーバが保有しているフォントデータのリストを要求された携帯情報端末に送信する。
【００１７】
指定フォント受付手段３０は、携帯情報端末に送信したフォントリストに基づいて、利用者がフォントリストから指定したフォントの通知を携帯情報端末から受け付ける。
【００１８】
ドキュメント送信手段４０は、要求されたドキュメントで使用される文字のフォントデータをサーバが保有するフォントデータから取り出し、ドキュメントデータに添付して携帯情報端末に送信する。この時のフォントデータのフォントは、指定フォント受付手段３０で受け付けたフォントである。
【００１９】
第１の発明によれば、受信側のフォント事情を考慮せずに指定されたフォントデータをドキュメントデータに添付して送信すればよいサーバプログラムの提供ができる。
（２）第２の発明
第２の発明は、ドキュメントを受信する携帯情報端末側のプログラムの発明であって、サーバに対してフォントを指定し、ドキュメントデータとともに指定したフォントデータを受信し表示するものである。
【００２０】
図２は第２の発明の原理を示すものでドキュメント送信要求手段５０、フォント指定手段６０、ドキュメント受信手段７０およびドキュメント表示手段８０で構成する。
【００２１】
ドキュメント送信要求手段５０は、サーバに対してドキュメントとサーバが保有するフォントのリストを送信するよう要求する。
【００２２】
フォント指定手段６０は、ドキュメント送信要求手段５０でサーバから送信されたフォントリスト受信し、そのフォントリストの中からユーザが指定したフォントをサーバに通知する。
【００２３】
ドキュメント受信手段７０は、要求したドキュメントのデータと、フォント指定手段６０で指定したフォントのデータの中からその要求したドキュメントで使用している文字に対応するフォントデータを受信する。
【００２４】
ドキュメント表示手段８０は、受信したドキュメントのデータを受信したフォントデータを用いて表示する。
【００２５】
第２の発明によれば、受信側がフォントデータを内蔵していなくとも好みのフォントでドキュメントの閲覧が可能な携帯情報端末のプログラムの提供ができる。
（３）第３の発明
第３の発明は、第１の発明のドキュメント送信手段４０において、ドキュメントで使用している文字の中の所定の文字に対応するフォントデータをドキュメントとともに携帯情報端末に送信する。
【００２６】
第３の発明によれば、少ない送信データ量で受信側から指定されたフォントでドキュメントの閲覧が可能なサーバのプログラムの提供がてきる。
（４）第４の発明
第４の発明は、第２の発明のドキュメント表示手段８０において、受信したドキュメントで使用している個々の文字に対して、それらの文字に対応するフォントデータが受信したフォントデータ中にあるかどうかを判別し、その判別結果に応じて受信したフォントデータか、若しくは内蔵のフォントデータを用いて表示する。即ち、ドキュメントで使用している文字に対応するフォントデータが受信したフォントデータにある場合は、受信したフォントデータを用いて表示し、ない場合は内蔵のフォントデータを用いて表示する。
【００２７】
第４の発明によれば、内蔵する１種類のフォントデータ量は少なくて済み、携帯情報端末は複数のフォントデータを保持することができる。結果として、複数のフォントから望みのフォントを選んでドキュメントの閲覧が可能な携帯情報端末のプログラムの提供ができる。
（５）第５の発明
第５の発明は、第１の発明に基づいたドキュメント送信方法である。
【発明の効果】
【００２８】
第１の発明では、受信側から要求されたフォントデータをドキュメントに添付して送信すればよく、受信側の内蔵フォントを考慮しなくて済むサーバのドキュメント送信プログラムの提供ができる。
【００２９】
第２の発明では、受信側がフォントを内蔵していなくても受信側の望むフォントでドキュメントの閲覧ができる携帯情報端末のプログラムの提供ができる。
【００３０】
第３の発明では、受信側で必要とする低頻度使用だけのフォントデータを送信すればよく、送信のデータ量は少量で済むサーバのドキュメント送信プログラムの提供ができる。
【００３１】
第４の発明では、受信側では高頻度使用だけのフォントデータを保持すればよく、その場合の１種類のフォントデータは少量で済むので複数のフォント種類のフォントデータを常駐できる。このため、複数のフォントから選んでドキュメントの閲覧が可能となる携帯情報端末のプログラムの提供ができる。
【００３２】
第５の発明では、受信側から要求されたフォントデータをドキュメントに添付して送信すればよく、受信側の内蔵フォントを考慮しなくてよいサーバのドキュメント送信方法の提供ができる。
【実施例】
【００３３】
本発明の実施例について図３から図８を用いて説明する。
（実施例その１）
実施例その１は、第１と第２、および第５の発明に対する実施例データある。図３は実施例その１のシステム構成の例を示す図である。この構成例では、ドキュメントの提供を行うドキュメントサーバ１００とドキュメントの閲覧を行う携帯電話２００がネットワーク３００を介して接続されている形態としている。
【００３４】
ドキュメントサーバ１００は、全体を制御する制御部１１０、ネットワーク３００を介して通信を行う通信部１２０、要求されたドキュメントの配信を行うプログラム１３０、保有するドキュメントを格納したドキュメントＤＢ１４０および各種のアウトラインのフォントデータを格納したフォントＤＢ１５０で構成する。
【００３５】
携帯電話２００は、全体を制御する制御部２１０、サーバ等への指示のための文字入力のキーやカーソルキーから成る操作部２２０、ドキュメントの表示を行う表示部２３０、音声の入出力を行うマイクとスピーカからなる音声入出力部２４０、ネットワーク３００を介して通信を行う通信部２５０およびプログラムやデータを記憶した記憶部２６０から構成する。また、記憶部２６０は、ドキュメントを要求したり配信されたドキュメントの表示を行うプログラム２６１、受信したドキュメントデータおよびフォントデータを格納する受信ドキュメントデータ記憶部２６２、受信フォントデータ記憶部２６３から構成する。
【００３６】
次に、携帯電話２００とドキュメントサーバ１００間の処理のフローを図４を用いて説明する。
【００３７】
先ず、携帯電話２００からドキュメントサーバ１００に対して、ドキュメントの配信要求を行う（Ｓ１１０）。
【００３８】
ドキュメントサーバ１００は、携帯電話２００からのドキュメント配信要求を受信し、これに応じてドキュメントサーバ１００が保有しているドキュメントのリストを要求のあった携帯電話２００に送信する（Ｓ１２０）。
【００３９】
携帯電話２００は、ドキュメントサーバ１００から送信されたドキュメントリストを受信し、その中から選択する。さらに、フォントリストの送信を要求する。この操作例を図５により説明する。図５は、携帯電話２００が受信したドキュメントリストの表示例を示すもので、ここではＳ１１０において予め著者を「樋口一葉」と指定してドキュメント配信要求を行ったものに対するドキュメントリストの例である。ユーザは希望する作品に対して操作部２２０からカーソルキーを操作してチェック欄に印を付けるとともに、フォント指定をすることとしてそのチェック欄にも印を付ける。そして、「送信」ボタンを押下する。これにより、携帯電話２００からドキュメントサーバに対して、希望する作品名の情報（即ち、配信希望のドキュメントの情報）とフォントリストの要求情報が送信されたことになる。
【００４０】
図４に戻りドキュメントサーバ１００は、携帯電話２００からの送信されたドキュメントの情報とフォントリストの要求情報を受信し、フォントＤＢ１５０を参照してフォントリストの情報を携帯電話２００に送信する（Ｓ１４０）。
【００４１】
フォントリストを受信した携帯電話２００は、その中から希望するフォントの種類を指定する。図６は、フォントリストの表示例を示すものである。ユーザは操作部２２０のカーソルキーを用いて希望するフォントのチェック欄に印を付け、「送信」ボタンを押下する。これにより、ユーザがフォントを指定したことになる（Ｓ１５０）。
【００４２】
ドキュメントサーバ１００は、携帯電話２００から送られたフォント情報を受信し、先に受信したドキュメントの情報（作品名）を基にドキュメントＤＢ１４０から該当するドキュメントデータを取り出す。続いて、ドキュメントデータで使用されている全ての文字コードを取り出し、この文字コードに対応するフォントデータをフォントＤＢ１５０から抽出する。このときのフォントデータは指定されたフォントである（即ち、Ｓ１６０で受信したフォントの種類である）。そして、ドキュメントデータと抽出したフォントデータとを携帯電話２００に送信する（Ｓ１６０〜Ｓ１８０）。
【００４３】
携帯電話２００は、ドキュメントサーバ１００からドキュメントデータとこのデータに添付されたフォントデータを受信する。そして、受信したドキュメントデータとフォントデータはそれぞれ受信ドキュメント記憶部２６２と受信フォントデータ記憶部２６３に格納する。次に、受信フォントデータ記憶部２６３に格納されたフォントデータを用いて受信ドキュメント記憶部２６２に格納したドキュメントデータをイメージに展開し、表示部２３０に表示する（Ｓ１９０〜Ｓ２１０）。
【００４４】
以上により、携帯電話２００においてユーザが指定したフォントでドキュメントの閲覧が可能となる。
（実施例その２）
実施例その２は、第３と第４の発明に対する実施例である。図７は実施例その２のシステム構成の例を示す図である。この構成例は実施例その１の構成例である図３と異なる箇所は、ドキュメントサーバ１００においてはプログラム１６０とフォントＤＢ１７０、および文字使用頻度テーブル１８０である。プログラム１６０は図３のプログラム１３０と処理内容が異なり（後述の処理フローで説明する）、フォントＤＢ１７０は各種のアウトラインのフォントデータが格納されている点では図３のフォントＤＢ１５０と同様であるが、それぞれのフォントデータは使用される文字の頻度により低頻度用と高頻度用に区分けされている点が異なる。また、文字使用頻度テーブル１８０は、それぞれの文字がドキュメントに使用される頻度（高頻度か低頻度か）を区分するもので、例えば図９に示すテーブルである。図９に示すように、文字使用頻度テーブル１８０は個々の文字コードに対して、使用頻度区分とそのフォントデータのフォントＤＢ１７０の相対格納アドレスで構成される。この文字使用頻度テーブル１８０は、フォントの種類に共通にしており、そのためフォントＤＢ１７０におけるアドレスを相対アドレスとしている（フォントの種類毎のフォントデータ格納開始アドレス（図示しない）を持つことにより、それぞれのフォントの種類に対するフォントデータを求めることができる）。高頻度、低頻度には例えばＪＩＳ漢字の第一水準を高頻度区分に、第二水準を低頻度区分としてもよい。
【００４５】
携帯電話２００の構成においては、記憶部２６０のプログラム２７１の処理内容が異なり（後述の処理フローで説明する）、また複数種類のフォントデータ２７２を持つ点でも異なる。このフォントデータ２７２は、使用される文字の頻度が高頻度のものである。ドキュメントサーバ１００のフォントＤＢに格納されるフォントデータには、少なくとも携帯電話２００が記憶するフォントの種類のフォントデータを保有しており、その時の高頻度用のフォントデータは等しいものである。
【００４６】
次に、携帯電話２００とドキュメントサーバ１００間の処理のフローを図８を用いて説明する。
【００４７】
処理ステップＳ３１０からＳ３６０までは、実施例その１の処理ステップＳ１１０からＳ１６０と同一であるので説明は省略する。
【００４８】
ステップＳ３７０において、ドキュメントデータで使用されている全ての文字コードを取り出す。次に取り出した個々の文字コードに対して、その文字の使用頻度を文字使用頻度テーブル１８０を参照して高頻度使用の文字か低頻度使用の文字かを判定する。低頻度使用の文字であった場合、格納されているフォントデータの格納相対アドレスをもとにその文字コードのフォントデータをフォントＤＢ１７０から抽出する。高頻度使用の文字コードであった場合は、特に何もしない。全ての使用文字に対してこの処理が終わったらドキュメントデータと抽出したフォントデータ（使用頻度が低頻度のフォントデータである）を携帯電話２００に送信する（Ｓ３７０、Ｓ３８０）。
【００４９】
携帯電話２００は、ドキュメントサーバ１００からドキュメントデータとこのデータに添付されたフォントデータを受信する。受信したドキュメントデータとフォントデータはそれぞれ受信ドキュメント記憶部２６２と受信フォントデータ記憶部２６３に格納する。次に、受信ドキュメント記憶部２６２に格納したドキュメントデータの個々の文字コードが受信フォントデータ記憶部２６３に格納されたフォントデータにあるかどうかを調べ、ある場合は受信フォントデータ記憶部２６３のフォントデータを用いてイメージに展開し表示する。ない場合は、予め記憶しているフォントデータ２７２（即ち、内蔵のフォントデータ）を用いてイメージの展開を行い表示する（この時のフォントは受信したフォントデータと同一のフォントが用いられる）。
【００５０】
以上により、携帯電話２００で記憶しているフォントデータ２７２は高頻度使用のフォントデータであるので１フォント当りのメモリ容量は少なくて済み、複数の種類のフォントデータを内蔵できる。従って、内蔵しているフォントをドキュメントサーバ１００に指定すれば希望するフォントでドキュメントの閲覧が可能となる。本実施例では、携帯電話２００においてドキュメントで使用されている文字のフォントデータが受信フォントデータ記憶部２６３にあるかどうかを調べるようにしていたが、ドキュメントサーバ１００が持っている文字使用頻度テーブル１８０と同等のテーブルを携帯電話２００に持たせるようにしてもよい。
【００５１】
以上の実施例に関し、さらに以下の付記を開示する。
【００５２】
（付記１）
サーバが保有するドキュメントを携帯情報端末の要求に基づいて送信するドキュメント送信システムのドキュメント送信プログラムであって、
前記サーバのコンピュータに、
前記携帯情報端末から前記ドキュメントと前記サーバが保有しているフォントのフォントリストとの送信要求を受け付けるドキュメント要求受付手段と、
前記フォントリストの送信要求に応じて、該フォントリストを前記携帯情報端末に送信するフォントリスト送信手段と、
前記携帯情報端末から、前記フォントリストの送信に応じて該フォントリストの中から指定されたフォントの通知を受け付ける指定フォント受付手段と、
前記送信要求されたドキュメントで使用される文字に対応する前記指定されたフォントのフォントデータを取り出し、該ドキュメントのデータに添付して前記携帯情報端末に送信するドキュメント送信手段
として機能させるためのドキュメント送信プログラム。
（付記２）
サーバが保有するドキュメントを携帯情報端末の要求に基づいて送信するドキュメント送信システムのドキュメント送信プログラムであって、
前記携帯情報端末のコンピュータに、
前記ドキュメントと前記サーバが保有するフォントのフォントリストとを該サーバに送信要求するドキュメント送信要求手段と、
前記フォントリストの送信要求に応じて前記サーバから送信されたフォントリストを受信し、該フォントリストの中から指定されたフォントを該サーバに通知するフォント指定手段と、
前記サーバから送信された前記要求したドキュメントのデータと、該ドキュメントが使用している文字に対応するフォントデータとを受信するドキュメント受信手段と、
前記受信したドキュメントのデータに前記受信したフォントデータを使用して表示するドキュメント表示手段
として機能させるためのドキュメント送信プログラム。
（付記３）
前記ドキュメント送信手段は、前記ドキュメントで使用される文字の中の所定の文字に対するフォントデータを前記ドキュメントデータに添付して送信する
ことを特徴とする請求項１記載のドキュメント送信プログラム。
（付記４）
前記ドキュメント表示手段は、前記受信したドキュメントで使用している個々の文字に対応するフォントデータが前記受信したフォントデータにあるかどうかを判別し、判別結果に応じて該受信したフォントデータと内蔵のフォントデータとを使用して表示する
ことを特徴とする請求項２記載のドキュメント送信プログラム。
（付記５）
サーバが保有するドキュメントを携帯情報端末の要求に基づいて送信するドキュメント送信システムであって、
前記サーバは、
前記携帯情報端末から前記ドキュメントと前記サーバが保有しているフォントのフォントリストとの送信要求を受け付けるドキュメント要求受付手段と、
前記フォントリストの送信要求に応じて、該フォントリストを前記携帯情報端末に送信するフォントリスト送信手段と、
前記携帯情報端末から、前記フォントリストの送信に応じて該フォントリストの中から指定されたフォントの通知を受け付ける指定フォント受付手段と、
前記送信要求されたドキュメントで使用される文字に対応する前記指定されたフォントのフォントデータを取り出し、該ドキュメントのデータに添付して前記携帯情報端末に送信するドキュメント送信手段
を有することを特徴としたドキュメント送信システム。
（付記６）
サーバが保有するドキュメントを携帯情報端末の要求に基づいて送信するドキュメント送信システムであって、
前記携帯情報端末は、
前記ドキュメントと前記サーバが保有するフォントのフォントリストとを該サーバに送信要求するドキュメント送信要求手段と、
前記フォントリストの送信要求に応じて前記サーバから送信されたフォントリストを受信し、該フォントリストの中から指定されたフォントを該サーバに通知するフォント指定手段と、
前記サーバから送信された前記要求したドキュメントのデータと、該ドキュメントが使用している文字に対応するフォントデータとを受信するドキュメント受信手段と、
前記受信したドキュメントのデータに前記受信したフォントデータを使用して表示するドキュメント表示手段と
を有することを特徴としたドキュメント送信システム。
【図面の簡単な説明】
【００５３】
【図１】第１の発明の原理図である。
【図２】第２の発明の原理図である。
【図３】実施例１のシステム構成例である。
【図４】実施例１の処理フロー例である。
【図５】ドキュメント要求の画面例である。
【図６】フォント指定の画面例である。
【図７】実施例２のシステム構成例である。
【図８】実施例２の処理フロー例である。
【図９】文字使用頻度テーブルのデータ例である。
【符号の説明】
【００５４】
１０    ドキュメント要求手段
２０    フォントリスト送信手段
３０    指定フォント受付手段
４０    ドキュメント送信手段
５０    ドキュメント送信要求手段
６０    フォント指定手段
７０    ドキュメント受信手段
８０    ドキュメント表示手段
１００  ドキュメントサーバ
１１０  制御部
１２０  通信部
１３０  プログラム
１４０  ドキュメントＤＢ
１５０  フォントＤＢ
１６０  プログラム
１７０  フォントＤＢ
２００  携帯電話
２１０  制御部
２２０  操作部
２３０  表示部
２４０  音声入出力部
２５０  通信部
２６１  プログラム
２６２  受信ドキュメント記憶部
２６３  受信フォントデータ記憶部
２７１  プログラム
２７２  フォントデータ
３００  ネットワーク
【図１】
2006235947.tif 000003
【図２】
2006235947.tif 000004
【図３】
2006235947.tif 000005
【図４】
2006235947.tif 000006
【図５】
2006235947.tif 000007
【図６】
2006235947.tif 000008
【図７】
2006235947.tif 000009
【図８】
2006235947.tif 000010
【図９】
2006235947.tif 000011